(57)【要約】【課題】頭に装着する顔面保護具のホルダー部は装着時のシールドの安定性が悪く、ホルダー部の形状が限定されるため使用者の頭部寸法変化に対する対応性は低く、また３Ｄプリンターで造形するホルダー部は、頭程度の広がりを持つ大きさとなるため、ホルダー部の形成時間を短縮し、あるいは１バッチ当たりの造形個数を増やすことが難しい。【解決手段】顔面を保護する顔面保護具において、ホルダー１が弾性を有する帯状の頭部支持体１０と頭部支持体１０より長い弾性を有する帯状のシールド支持体３０とからなり、かつ前記ホルダー１の外形が頭部支持体１０の両端部とシールド支持体３０の両端部とを互いに結合し形成した雫型であるようにする。ホルダー１の両端部が、支持体（１０，３０）を含む面に対し略４５度に傾斜した長円形の開口部からなる留め穴５０を有し、また頭部支持体１０とシールド支持体３０との間に帯状の中間支持体２０を有するようにする。【選択図】図１
2022001679.tif 000002
【特許請求の範囲】
【請求項１】
顔面を保護する透明なシールドと、前記シールドを頭部に装着するホルダーとからなる顔面保護具において、前記ホルダーが弾性を有する帯状の頭部支持体と前記頭部支持体より長い弾性を有する帯状のシールド支持体とからなり、かつ前記ホルダーの外形が前記頭部支持体の両端部と前記シールド支持体の両端部とを互いに結合することにより形成した雫型であることを特徴とする顔面保護具用ホルダー。
【請求項２】
前記頭部支持体および前記シールド支持体の両端部が、前記頭部支持体を含む面に対し略４５度に傾斜した長円形の開口部からなる留め穴を有することを特徴とする請求項１に記載の顔面保護具用ホルダー。
【請求項３】
帯状の中間支持体が前記頭部支持体と前記シールド支持体との間に配置されるとともに、前記中間支持体の両端部が前記頭部支持体および前記シールド支持体の両端部で互いに結合していることを特徴とする請求項１〜２に記載の顔面保護具用ホルダー。
【発明の詳細な説明】
【技術分野】
【０００１】
本発明は、唾液飛沫・外来異物等が顔面に付着することを防止する顔面保護具に関するものである。
【背景技術】
【０００２】
従来から医療現場で使用されている感染防御のための顔面保護具は、新型コロナウィルスのパンデミックで世界的にその重要性が認識されるようになった。医療現場のみならず、対面での接客を要する場面でも使用されるようになり、その必要性は極めて重要となっている。しかし。特に世界的な流行が起きると生産・流通が遮断されその入手が極めて困難になる状況が発生することになり、自国や現場での生産が要望されている。
【０００３】
一般に顔面保護具は顔面を保護する透明なシールドシートと、それを頭部に装着するホルダーとからなる。特許文献１には、頭部に巻いて装着するバンドをホルダーとした顔面保護具が開示されている。眼鏡を使用できるようにシールドシートとバンドとの間に隙間を設けるよう面ファスナーで調整するようにしている。またバンドの長さは面ファスナーで調整し、頭部寸法の違いに対応している。
【０００４】
特許文献２には、頭部を両側から挟むブリッジアームを有するフレームと、シールドシートを固定するシールドフレームとを備えるホルダーが開示されている。シールドフレームにより顔面とシールドシートとの間に隙間を形成し眼鏡を使用できるようにしている。
【０００５】
近年、アディティブマニュファクチャリングと言われる新しい造形方法が注目されている。材料を順次積層し任意の立体形状を形成する３Ｄプリンターは、工業用の大型プリンターからデスクトップタイプの小型プリンターまで様々な装置が利用できる。特に小型のデスクトップタイプは安価で、設置が簡単であるため様々な現場で使用できる。このため緊急性がある場合などは特に有用な造形手段となる。
【先行技術文献】
【特許文献】
【０００６】
【特許文献１】米国特許４，８５３，９７４号公報
【特許文献２】特開２０１８−１５８１１９号公報
【発明の概要】
【発明が解決しようとする課題】
【０００７】
ところが面ファスナーで固定する方法は簡易であるが、面ファスナーの接着力でシールド用シートを湾曲せるため装着時のシールドの安定性が悪くなる。また、シールドを安定させるためにバンドを強く締め付ける必要があるため長時間使用に支障がでる。
【０００８】
頭部を両側から挟むブリッジアームは安定性が増すが、頭部全体に接するホルダー部の方が安定性はより高い。また頭部寸法変化に対する対応性は本体フレームの形状に規定されるため限定される。
【０００９】
３Ｄプリンターによる造形では、造形体積が小さい程ワークサイズの小さい小型３Ｄプリンター（様々な現場で簡易に使用できる）が使用できる。また大型の３Ｄプリンターでは造形体積が小さい程、一度に造形できる個数を多くすることができる。しかし、頭に装着する既知の顔面保護具のホルダー部は頭程度の広がりを持つ大きさとなるため、小型３Ｄプリンターの使用や、大型３Ｄプリンターではバッチ当たりの造形個数を増やすことが難しくなる。
【課題を解決するための手段】
【００１０】
本発明による顔面保護具用ホルダーは、前記ホルダーが帯状の頭部支持体と前記頭部支持体より長い帯状のシールド支持体とからなり、かつ前記ホルダーの外形が前記頭部支持体の両端部と前記シールド支持体の両端部とを互いに結合し形成した雫型であるようにする。また前記頭部支持体および前記シールド支持体の両端部が、支持体を含む面に対し略４５度に傾斜した長円形の開口部からなる留め穴を有するようにし、また前記頭部支持体と前記シールド支持体との間に、前記頭部支持体と前記シールド支持体との両端部で結合する帯状の中間支持体を有するようにする。
【発明の効果】
【００１１】
本発明の顔面保護具用ホルダーによれば、頭に装着したシールドが安定し、使用者の頭部寸法への対応性が増し、小型３Ｄプリンターの使用が可能となり、また大型３Ｄプリンターでは１バッチ当たりの造形個数を多くすることが可能となる。
【図面の簡単な説明】
【００１２】
【図１】本発明による顔面保護具用ホルダーの一例を示す斜視図。
【図２】本発明による顔面保護具用ホルダーの一例を示す平面図。
【図３】本発明による顔面保護具用ホルダーの一例を示す背面図。
【図４】本発明による顔面保護具用ホルダーの一例の機能を示す説明図。
【図５】本発明による顔面保護具用ホルダーの一例の使用時の状態を示す説明図。
【図６】本発明による顔面保護具用ホルダーの一例で、留め穴でバンドを固定する方法を示す説明図。
【図７】本発明による顔面保護具の使用方法を示す概要図。
【図８】本発明による顔面保護具用ホルダーの別の実施例を示す斜視図。
【図９】本発明による顔面保護具用ホルダーの別の実施例を示す斜視図。
【発明を実施するための形態】
【００１３】
本発明は、顔面を保護する透明なシールドと、前記シールドを頭部に装着するホルダーとからなる顔面保護具において、前記ホルダーが弾性を有する帯状の頭部支持体と前記頭部支持体より長い弾性を有する帯状のシールド支持体とからなり、かつ前記ホルダーの外形が前記頭部支持体の両端部と前記シールド支持体の両端部とを互いに結合し形成した雫型であるようにして、頭に装着したシールドを安定させ、使用者の頭部寸法への対応性を広げ、また小型３Ｄプリンターの使用を可能にし、大型３Ｄプリンターでは１バッチ当たりの造形個数を増やすことができる。また前記頭部支持体および前記シールド支持体の両端部が、支持体を含む面に対し略４５度に傾斜した長円形の開口部からなる留め穴を有するようにし、ホルダーへのバンド固定を簡易にする。また前記頭部支持体と前記シールド支持体との間に配置し、前記頭部支持体および前記シールド支持体の両端部で結合する帯状の中間支持体を有するようにして、ホルダーの設計自由度を高くする。以下、実施例を挙げ図面を参照して説明する。
【実施例１】
【００１４】
図１は本発明による顔面保護具用ホルダーの一例を示す斜視図である。１はホルダー、１０は頭部支持体、３０はシールド支持体、３１はシールド用フック、５０は留め穴である。１０ａ、３０ａはそれぞれ頭部支持体およびシールド支持体の端部を示す。ホルダー１を構成する頭部支持体１０およびシールド支持体３０に使用する材料としては、弾性を有するものであれば金属、樹脂等、特に限定されない。３Ｄプリンター用の汎用樹脂としてはＡＢＳ系、ポリアミド系、ＰＬＡ系等の樹脂が使用可能である。
【００１５】
図２は本発明による顔面保護具用ホルダー１の一例を示す平面図である。ホルダー１の外形が、頭部支持体１０の両端部１０ａとシールド支持体３０の両端部３０ａとを互いに結合して形成した雫型であることを示している。本発明では、雫型ホルダー１の両端部（１０ａ、３０ａ）の間隔Ｌ３は使用者の頭部の大きさによらず狭くし、頭部支持体１０とシールド支持体３０との間隔Ｌ１は使用者の鼻の高さより小さくすることが可能であるため、ホルダー１の造形サイズを小さく設計することが可能である。
【００１６】
図３は本発明による顔面保護具用ホルダー１の一例を示す背面図である。ホルダー１を装着する際に使用するバンド３を通す留め穴５０は、支持体（１０，３０）を含む面に対し略４５度に傾斜した長円形の開口部からなることを示している。留め穴５０の大きさおよび形状は、好ましくはバンド３を２回通すことができる程度の大きさを有する長円形あるいは長方形で、ホルダー１にバンド３を簡易に固定することを可能にするものである。
【００１７】
図４、図５は本発明による顔面保護具用ホルダー１の機能および使用時の状態を示す説明図である。ホルダー１は造形時に雫型の外形をしている。頭部支持体１０とシールド支持体３０とは弾性を有し、頭部に装着するために両端部（１０ａ、３０ａ）の間隔をＬ３からＬ４に拡大すると、同時に前頭部近傍の頭部支持体１０とシールド支持体３０との間隔はＬ1からＬ２に拡大する。この機能は弾性を有する頭部支持体１０と弾性を有するシールド支持体３０とを各々の両端部で結合し、ホルダー１の外形を雫型とすることにより発現する。本発明による顔面保護具用ホルダーではこの使用時の拡大機能により使用者の鼻や眼鏡にシールド２が接触しなくなる。
【００１８】
また装着時にホルダー１の両端部の間隔がＬ３からＬ４に拡大するため、弾性を有する頭部支持体１０およびシールド支持体３０の復元力により使用者の側頭部が挟まれる。この作用によりホルダー１の装着が安定するとともに、使用者の頭部寸法に応じてホルダー１の両端部が広がるため、頭部の大小に対する対応性が増す。装着時の側頭部に対する押圧は、帯状の頭部支持体１０およびシールド支持体３０の材質、幅及び厚みで制御することができる。
【００１９】
また本発明によれば、造形時のホルダー１の雫型を囲む矩形面積Ｓ1と、装着時のホルダー１を囲む矩形面積Ｓ2とを比較（図４）すれば明らかなように、３Ｄプリンターによる造形時のホルダー１のワークサイズを大幅に縮小することができる（造形体積の縮小）。従って、小型３Ｄプリンターでの生産が可能になり使用現場での製造が可能になる。また大型３Ｄプリンターでの生産時にはバッチ当たりの生産個数を多くすることが可能となる。
【００２０】
図６は本発明による顔面保護具用ホルダー１の一例で、留め穴５０でバンド３を固定する方法を示す説明図である。バンド３としてはゴム弾性を示す帯状のバンドが好ましい。頭部支持体１０およびシールド支持体３０の両端部（１０ａ、３０ａ）に、両端部（１０ａ、３０ａ）を含む面に対し略４５度に傾斜した長円形の開口部からなる留め穴５０を形成する。傾斜角を略４５度にすることで帯状のバンド３を留め穴５０に２回通し、バンド３を最短の長さでホルダー１に簡易に固定することができる。
【００２１】
先ずホルダー１の外側から帯状のバンド３を留め穴５０に通し、その先端を下方に垂らす。次にバンド３をホルダー１の外側から留め穴５０に再び通し、その先端を上方に向ける。この方法によれば側頭部に接するバンド３に皺や塊が発生せず、使用感を快適にするとともに装着を確実にすることができる。
【００２２】
図７は本発明による顔面保護具の一例の使用方法を示す概要図である。シールド用フック３１によりシールド２がホルダー１に取り付けられている。シールド２の取り付け方法は、例えばシールド２の上部に十字の切れ目を数か所形成し、各々十字の中央部を穴明する。次に穴明されたシールド２の穴にシールド用フック３１を嵌入することで、シールド２をホルダー１に固定することができる。シールド２の材料としては、ポリエステル系、塩化ビニル系、ポリカーボネイト系、アクリル系等の透明樹脂を使用する。
【実施例２】
【００２３】
図８は本発明による顔面保護具用ホルダーの別の実施例を示す斜視図である。実施例１と異なり、帯状の中間支持体２０を頭部支持体１０とシールド支持体３０との間に配置し、かつ中間支持体２０の両端部を頭部支持体１０およびシールド支持体３０の両端部（１０ａ、２０ａ、３０ａ）で結合したものである。３Ｄプリンターで造形する場合、高さの縮小は造形時間の短縮に寄与する。中間支持体２０の追加によりホルダー１の全体の剛性が増加するため、帯状の各支持体（１０，２０，３０）の幅や厚みを縮小することが可能になり造形時間の短縮が可能になる。
【実施例３】
【００２４】
図９は本発明による顔面保護具用ホルダーの別の実施例を示す斜視図である。
実施例２の、シールド支持体３０の前面にシールド支持体４０を追加したものである。実施例３ではシールド支持体４０にシールド用フック４１を介してシールド２を取り付ける。装着時にホルダー１の両端部（１０ａ、２０ａ、３０ａ）を開くと、同時にシールド支持体４０の両端部が開き、シールド２の前面幅を広くすることが可能になる。
【産業上の利用可能性】
【００２５】
本発明は、使用者の顔面を外来異物から守る顔面保護具に係り、頭部の動きに対して安定した、頭部寸法への対応性の高い顔面保護具用ホルダーとして利用可能である。またワークサイズの小さい小型３Ｄプリンターの使用が可能であるため現場での造形が可能で、大型の３Ｄプリンターでは１バッチ当たりの造形個数を増やすことが可能であるため工業的な量産が可能になる。
【符号の説明】
【００２６】
１      ホルダー
２      シールド
３      バンド
１０    頭部支持体
１０a   端部
２０    中間支持体
２０a   端部
３０    シールド支持体
３０a   端部
３１    シールド用フック
４０    シールド支持体
４１    シールド用フック
５０    留め穴
【図１】
2022001679.tif 000003
【図２】
2022001679.tif 000004
【図３】
2022001679.tif 000005
【図４】
2022001679.tif 000006
【図５】
2022001679.tif 000007
【図６】
2022001679.tif 000008
【図７】
2022001679.tif 000009
【図８】
2022001679.tif 000010
【図９】
2022001679.tif 000011